(57)【要約】【課題】墓石用上屋の構築作業の期間短縮を行うと共に、素人の作業者であっても容易に構築できるようにする。【解決手段】墓地に掘穿された複数の根切り穴２に、棒状の支持部材５が水平方向に貫設された短尺の角筒形状の受け具３を立設し、支持具２０及び縦位置決め部材１０ａ、横位置決め部材１０ｂによって、各受け具３の位置決めと、墓石用上屋Ａの設置面Ｇにおける各受け具３の支持とを行い、支柱２５の下端部を各受け具３に遊挿し、楔２６によって、支持部材５に当接支持された支柱２５の垂直度を調整し、各支柱２５の上端部に複数本の第一連結部材３１を連結し、各支柱２５の上端部を囲繞して内枠３４を構成し、複数本の第二連結部材３５を各第一連結部材３１に連結し、内枠３４を囲繞して外枠３８を構成し、内枠３４及び外枠３８で構成された枠体３９に屋根板４０を取り付ける。【選択図】　　図１
2004060314.tif 000002
【特許請求の範囲】
【請求項１】
複数本の角筒形状の支柱を墓地に建て込むための基礎構造と、基礎構造によって立設された各支柱により支持される小屋組構造と、小屋組構造に取り付けられる屋根板とを備え、日射、降雨、降雪から墓石を保護する墓石用上屋の構築構造において、前記基礎構造は、墓地に掘穿された複数の根切り穴に立設される短尺の角筒形状の受け具と、該受け具に水平方向に貫設される棒状の支持部材と、各受け具の各側面にそれぞれ着脱可能に取り付けられる支持具と、各受け具、及び、各受け具に遊挿される前記各支柱の下端部の隙間に嵌入される複数の楔とから構成されてなることを特徴とする墓石用上屋の構築構造。
【請求項２】
各受け具が対向しあう受け具の各側面の上端部に着脱可能に取り付けられる前記支持具は、墓石用上屋の配置を示す平面視四角形状の想像線に沿って配される縦方向及び横方向の位置決め部材を有することを特徴とする請求項１に記載の墓石用上屋の構築構造。
【請求項３】
各支柱の間隔に合わせて、縦方向又は横方向の位置決め部材の少なくともいずれか一方が調整可能に構成されてなることを特徴とする請求項１又は２に記載の墓石用上屋の構築構造。
【請求項４】
各受け具の下端開口部には、各根切り穴の底面に立設させるためのベースプレートが装着されてなることを特徴とする請求項１乃至３のいずれか１項に記載の墓石用上屋の構築構造。
【請求項５】
複数本の角筒形状の支柱を墓地に建て込むための基礎構造と、基礎構造によって立設された各支柱により支持される小屋組構造と、小屋組構造に取り付けられる屋根板とを備え、日射、降雨、降雪から墓石を保護する墓石用上屋の構築構造において、前記小屋組構造は、墓地に立設された複数本の支柱の上端部に連結可能で、且つ、各支柱の上端部を囲繞して内枠を構成する複数本の第一連結部材と、各第一連結部材に連結可能で、且つ、第一連結部材で枠組みされた内枠を囲繞して外枠を構成する複数本の第二連結部材と、内枠及び外枠で構成され、且つ、前記屋根板が着脱可能に取り付けられる枠体とから構成されてなることを特徴とする墓石用上屋の構築構造。
【請求項６】
前記第一連結部材は、墓地における墓石用上屋の配置を示す平面視四角形状の想像線の各頂点に立設された支柱において、同一方向に平行する二組の支柱の上端部からその両端部が突出するように連結された二本の長尺の破風材と、長尺の両破風材の突出部位にその両端が当接するように、前記各支柱の上端部に連結された二本の短尺の鼻隠し材とを具備し、さらに、前記内枠は、長尺の破風材、及び、短尺の鼻隠し材によって角環状に枠組みされ、加えて、前記外枠は、破風材及び鼻隠し材が組み合わされてコ字形状又はＬ字形状に形成された第二連結部材によって、その開口面積が内枠の外形面積と略同一になるように角環状に枠組みされてなることを特徴とする請求項５に記載の墓石用上屋の構築構造。
【請求項７】
第一連結部材としての破風材及び鼻隠し材の両端部に突片が形成され、各支柱の上端部には、第一連結部材としての破風材及び鼻隠し材の突片が挿入される溝が形成されてなることを特徴とする請求項５又は６に記載の墓石用上屋の構築構造。
【請求項８】
日射、降雨、降雪から墓石を保護する墓石用上屋の構築方法において、墓地に穿設された複数の根切り穴に、請求項１乃至４に記載の墓石用上屋の基礎構造を仮構築して複数本の角筒形状の支柱を建て込み、その後、各支柱の上端部に、請求項５乃至７に記載の墓石用上屋の小屋組構造を仮構築し、さらに、墓石用上屋の基礎構造の複数の楔によって、各支柱の垂直度を調整し、墓石用上屋の基礎構造及び小屋組構造を完成させ、続いて、墓石用上屋の小屋組構造に屋根板を取り付けた後、各根切り穴に基礎コンクリートを打設して硬化させ、最後に、墓石用上屋の基礎構造の支持具を取り外すようにしたことを特徴とする墓石用上屋の構築方法。
【発明の詳細な説明】
【０００１】
【発明の属する技術分野】
本発明は、日射、雨水、降雪、火山灰などから墓石を保護する墓石用上屋の構築構造、及び、墓石用上屋の構築方法に関する。
【０００２】
【従来の技術】
従来の墓石用上屋は、例えば、図５に示すように、墓石用上屋を構築するのに必要とされる複数本の支柱６１，…を墓地に建て込むための基礎構造６０と、基礎構造６０によって立設された各支柱６１，…に屋根板８０の荷重を伝達する小屋組構造７０とから構成されている。
【０００３】
基礎構造６０は、複数本の支柱６１，…の下端部にそれぞれ固着されたベースプレート６２，…と、墓地に掘穿される根切り穴６３，…に敷設される複数の割栗石６４，…と、割栗石６４，…が敷設された各根切り穴６３，…に打設される捨てコンクリート６５，…と、捨てコンクリート６５，…の平坦面に突設される餅形状のレベル調整用モルタル６６，…と、レベル調整用モルタル６６，…の円弧面に当接された支柱６１，…のベースプレート６２，…を捨てコンクリート６５，…に固定するための複数本のアンカーボルト６７，…と、各根切り穴６３，…に支柱６１，…を固定するための基礎コンクリート６８，…とを備えている。
【０００４】
小屋組構造７０は、縦方向に設けられる棟木７１と、横方向に位置する支柱６１，６１の上端部にそれぞれ取り付けられた梁材７２，７２と、両梁材７２，７２に架設される複数本の母屋材７３，…とを具備している。
【０００５】
屋根板８０は、例えば、二枚の屋根部材８０ａ，８０ａを接合し、両屋根部材８０ａ，８０ａを小屋組構造７０の梁材７２や梁材７２に架設された母屋材７３に取り付けている。
【０００６】
つぎに墓石用上屋の構築方法について説明する。まず、杭と縄を使って、墓地における墓石用上屋の配置を示す平面視四角形状の想像線に沿って地縄張りを行い、地縄張りで墓石用上屋の位置を決めた後、四隅に仮設物を設置し、各仮設物間に水糸を張って墓石用上屋の支柱６１，…の中心を決める（図示せず）。
【０００７】
つぎに、各支柱６１，…の中心に各根切り穴６３，…を掘穿し、各根切り穴６３，…の底面に複数の割栗石６４，…を敷設し、各根切り穴６３，…に捨てコンクリート６５，…を打設し、後述するアンカーボルト６７，…を植設可能なコンクリート層の厚みに形成すると共に、各割栗石６４，…の上面を捨てコンクリート６５，…によって平坦にした後、捨てコンクリート６５，…を硬化させる。
【０００８】
続いて、硬化した捨てコンクリート６５，…の平坦面において、各支柱６１，…の中心位置に、各支柱６１，…の垂直度を調整するためのレベル調整用モルタル６６，…を突設すると共に、レベル調整用モルタル６６，…の外側に複数本のアンカーボルト６７，…を植設する。
【０００９】
レベル調整用モルタル６６，…の硬化後、各支柱６１，…の下端部に固着された平板状のベースプレート６２，…をレベル調整用モルタル６６，…の円弧面に受止させると共に、各支柱６１，…をターンバックル（図示せず）で略直立した状態に支持し、水平面に対する各支柱６１，…の垂直度を調整し、基礎構造６０を仮構築する。
【００１０】
つぎに、縦方向に位置する各支柱６１，…の上端部に、梁材７２，７２の端部を取り付け、梁材７２，７２間に母屋材７３，…を架設させて小屋組構造７０を仮構築する。
【００１１】
最後に、各支柱６１，…の垂直度を微調整し、基礎構造６０及び小屋組構造７０を完成し、小屋組構造７０に屋根板８０を取り付け、各根切り穴６３，…に基礎コンクリート６８，…を打設して、基礎コンクリート６８，…を硬化させ、各支柱６１，…を基礎コンクリート６８，…で固定すれば、墓石用上屋が完成する。
【００１２】
これらの構築作業は、四人の熟練作業者によって行われ、捨てコンクリート６５、レベル調整用モルタル６６、基礎コンクリート６８の硬化する期間を含めて約一週間の作業期間を要する。
【００１３】
そして、この墓石用上屋によって、墓石の周囲が覆われることになり、日射、雨水、降雪などから墓石を保護している。また、一部の地域、例えば、鹿児島県などにおいては、噴火による降灰からも墓石を保護する役目をも担っている。
【００１４】
【発明が解決しようとする課題】
しかしながら、前記従来の墓石用上屋の場合、墓地の各根切り穴６３，…に敷設した割栗石６４，…の上面を平坦にする捨てコンクリート６５，…と、捨てコンクリート６５，…の平坦面に設けられたレベル調整用モルタル６６，…と、各支柱６１，…を固定するための基礎コンクリート６８，…とを硬化させる必要があり、それぞれの固化剤が硬化する期間としては略１日を要し、その分作業日数が多くなり、作業能率が低くなるという問題がある。
【００１５】
さらに、墓地の各根切り穴６３，…に付設した割栗石６４，…の上面を捨てコンクリート６５，…によって平坦にする作業、捨てコンクリート６５，…の平坦面に餅形状のレベル調整用モルタル６６，…を設ける作業には、熟練作業者の高度な技術が必要となり、素人の作業者には、構築作業が困難であるという問題がある。
【００１６】
そこで、本発明は上記問題点に鑑み、墓石用上屋の構築作業期間を短縮して構築作業の効率を向上させると共に、素人の作業者であっても容易に構築できる墓石用上屋の構築構造、及び、墓石用上屋の構築方法を提供することを目的とする。
【００１７】
【課題を解決するための手段】
上記課題を解決するために、本発明の墓石用上屋の構築構造における基礎構造は、請求項１に示す如く、墓地に掘穿された複数の根切り穴に立設される短尺の角筒形状の受け具と、該受け具に水平方向に貫設される棒状の支持部材と、各受け具の各側面にそれぞれ着脱可能に取り付けられる支持具と、各受け具、及び、各受け具に遊挿される前記各支柱の下端部の隙間に嵌入される複数の楔とから構成されたものである。
【００１８】
この場合、墓地に穿設された複数の根切り穴に短尺の角筒形状の受け具を立設した際、受け具が不安定な状態になるため、受け具を安定した状態で支持する必要がある。よって、受け具の各側面にそれぞれ支持具を取り付けることで、墓地における設置面に安定した状態で各受け具が支持される。したがって、従来、使用されていた割栗石、捨てコンクリート、レベル調整用モルタル、アンカーボルトが不要になると共に、熟練作業者でなくても簡単に支柱を立設でき、しかも、作業時間を大幅に短縮できる。
【００１９】
さらに、各受け具は、支持具によって支持されることで、各支柱の上端部に構築される小屋組構造部の荷重を、墓石用上屋の設置面に配される各支持具で受けることになり、小屋組構造部が構築されても各受け具を充分に安定支持できる。
【００２０】
また、各受け具には、棒状の支持部材が水平方向に貫設されているため、各受け具に遊挿された支柱の下端部が支持部材によって当接支持される。さらに、支柱と受け具との隙間に複数の楔が嵌入されることで、各支柱の垂直度を素人作業者でも容易に調整できる。
【００２１】
また、請求項２に示す如く、各受け具が対向しあう受け具の各側面の上端部に着脱可能に取り付けられる前記支持具として、墓石用上屋の配置を示す平面視四角形状の想像線に沿って配される縦方向及び横方向の位置決め部材を使用するのが好ましい。
【００２２】
そうすれば、角筒形状の受け具の上端部において、各受け具が対向しあう受け具の各側面に、墓地における墓石用上屋の配置を示す平面視四角形状の想像線に沿って配される位置決め部材を取り付けることで、墓石用上屋の設置面との接触面積が大きくなり、受け具がより安定した状態で支持される。さらに、縦方向及び横方向の位置決め部材が、墓地における墓石用上屋の配置を示す平面視四角形状の想像線に沿って配されるため、熟練作業者でなくても、各根切り穴の略中心位置に各受け具を容易に立設できる。
【００２３】
さらに、請求項３に示す如く、各支柱の間隔に合わせて、縦方向又は横方向の位置決め部材の少なくともいずれか一方を調整可能に構成するのが好ましい。
【００２４】
よって、各支柱の間隔に合わせて、縦方向又は横方向の位置決め部材の少なくともいずれか一方を調整可能に構成することで、墓石用上屋の配置に変更が生じても容易に対処できる。
【００２５】
加えて、請求項４に示す如く、各根切り穴の底面に立設させるためのベースプレートを各受け具の下端開口部に装着するのが望ましい。
【００２６】
この場合、各受け具の下端開口部にベースプレートを装着すれば、各受け具を各根切り穴の底面への立設が容易になり、より確実な安定性を確保できる。
【００２７】
また、本発明の墓石用上屋の構築構造における小屋組構造は、請求項５に示す如く、墓地に立設された複数本の支柱の上端部に連結可能で、且つ、各支柱の上端部を囲繞して内枠を構成する複数本の第一連結部材と、各第一連結部材に連結可能で、且つ、第一連結部材で枠組みされた内枠を囲繞して外枠を構成する複数本の第二連結部材と、内枠及び外枠で構成され、且つ、前記屋根板が着脱可能に取り付けられる枠体とから構成されたものである。
【００２８】
したがって、第一連結部材が、墓地に立設された複数本の支柱の上端部に連結されることで、第一連結部材によって、各支柱の上端部の位置が固定されることになる。さらに、各支柱の上端部が、枠組みされた各第一連結部材によって囲繞されることで、墓石用上屋の強度が確保される。加えて、各支柱及び各第一連結部材が固定されるため、各第二連結部材が、第一連結部材に連結しやすくなる。
しかも、各第二連結部材によって外枠を枠組みすることで、墓石用上屋の強度がより一層大きくなる。よって、各支柱が不安定な状態であっても、第一連結部材で固定することで、第二連結部材の連結作業が素人でもしやすくなる。また、素人が構築した小屋組構造であっても、二重構造の枠体を構成することで、屋根板を支持するのに充分な強度を確保できる。
【００２９】
よって、墓石用上屋の強度が充分に確保されることで、内枠及び外枠で構成される枠体に直接屋根板を取り付けることができるようになり、従来、使用されていた梁材、垂木、母屋材などが不要になり、作業の簡素化と、コスト低減に寄与される。
【００３０】
さらに、請求項６に示す如く、前記第一連結部材は、墓地における墓石用上屋の配置を示す平面視四角形状の想像線の各頂点に立設された支柱において、同一方向に平行する二組の支柱の上端部からその両端部が突出するように連結された二本の長尺の破風材と、長尺の両破風材の突出部位にその両端が当接するように、前記各支柱の上端部に連結された二本の短尺の鼻隠し材とを具備し、さらに、前記内枠は、長尺の破風材、及び、短尺の鼻隠し材によって角環状に枠組みされ、加えて、前記外枠は、破風材及び鼻隠し材が組み合わされてコ字形状又はＬ字形状に形成された第二連結部材によって、その開口面積が内枠の外形面積と略同一になるように角環状に枠組みするようにしたものである。
【００３１】
そうすれば、同一方向に平行する二組の支柱の上端部に、第一連結部材としての長尺の破風材を連結することで、長尺の破風材が配された一方向への支持強度が確保される。さらに、第一連結部材としての長尺の両破風材の突出部位に、第一連結部材としての短尺の鼻隠し材の両端を当接することで、各支柱の別方向への支持強度が確保される。加えて、第二連結部材としての長尺の破風材及び短尺の鼻隠し材によって枠組みされた内枠を囲繞する外枠として、破風材及び鼻隠し材を組み合わせてコ字形状又はＬ字形状に形成された第二連結部材を使用すれば、四角形状に枠組みされた角部を容易に囲繞でき、且つ、角部の強度が補強されることになる。しかも、外枠の開口面積が内枠の外形面積と略同一であるため、内枠と外枠が密接することになり、小屋組構造部の強度が確実に確保される。
【００３２】
加えて、請求項７に示す如く、第一連結部材としての破風材及び鼻隠し材の両端部に突片を形成し、第一連結部材としての破風材及び鼻隠し材の突片を、支柱の上端部に形成された溝に挿入するようにしたものである。
【００３３】
この場合、受け具および楔によって、支柱の下端部は略固定された状態になっているが、支柱の上端部は、自由端となっている。このため、第一連結部材の両端部に突片を形成し、第一連結部材の突片を、支柱の上端部に形成された溝に挿入することで、自由端となっている支柱の上端部を簡単に固定できる。さらに、第一連結部材の突片を支柱の上端部の溝に挿入するだけでよく、作業能率が大幅に向上される。
【００３４】
また、本発明の墓石用上屋の構築方法は、請求項８に示す如く、墓地に穿設された複数の根切り穴に、請求項１乃至４に記載の墓石用上屋の基礎構造を仮構築して複数本の角筒形状の支柱を建て込み、その後、各支柱の上端部に、請求項５乃至７に記載の墓石用上屋の小屋組構造を仮構築し、さらに、墓石用上屋の基礎構造の複数の楔によって、各支柱の垂直度を調整し、墓石用上屋の基礎構造及び小屋組構造を完成させ、続いて、墓石用上屋の小屋組構造に屋根板を取り付けた後、各根切り穴に基礎コンクリートを打設して硬化させ、最後に、墓石用上屋の基礎構造の支持具を取り外すようにしたものである。
【００３５】
例えば、二人の素人作業者であっても、本発明の墓石用上屋の基礎構造、及び、本発明の墓石用上屋の小屋組構造を墓地に構築するようにすれば、屋根板の取り付け、各根切り穴に基礎コンクリートを打設するまで、略一日で作業が終了し、基礎コンクリートの硬化に一日、計二日で作業が終了することになり、作業日数が、従来に比して大幅に短縮される。
【００３６】
【発明の実施の形態】
本発明の一実施形態について説明する。
本発明の墓石用上屋の基礎構造においては、支柱を墓地に建て込む手段として、支持部材が水平方向に貫設された角筒形状の受け具を、墓地に掘穿された複数の根切り穴に立設し、支持部材に支柱の下端部を当接させることで支持するようにしている。さらに、根切り穴の底面は必ずしも水平でないため、墓石用上屋の配置を示す想像線に沿って配される縦方向及び横方向の位置決め部材、及び、各受け具を墓石用上屋の設置面において支持するための支持具によって、各受け具を安定した状態で支持するようにしている。加えて、複数の楔を支柱と受け具との隙間に嵌入することで、各支柱の垂直度の調整を可能にしている。
【００３７】
つぎに、本発明の墓石用上屋の小屋組構造においては、複数本の第一連結部材を各支柱の上端部に連結し、各第一連結部材によって各支柱の上端部を囲繞して内枠を構成し、各支柱をほぼ直立した状態で支持し、複数本の第二連結部材を第一連結部材に連結し、各第二連結部材によって内枠を囲繞して外枠を構成し、小屋組構造の強度を補強し、内枠及び外枠で構成された二重構造の枠体によって屋根板の荷重を受けるようにしている。
【００３８】
【実施例】
つぎに一実施例について図１〜図４を参照して説明する。
本発明の墓石用上屋Ａは、墓石用上屋を構築するのに必要とされる複数本の支柱２５，…を墓地に建て込むための基礎構造１と、基礎構造１によって立設された各支柱２５，…に屋根板４０の荷重を伝達する小屋組構造３０とから構成されている。さらに、墓石用上屋Ａの前方には、同様に構築された基礎構造１及び小屋組構造３０を有する増設部Ｂが構築されている。
【００３９】
基礎構造１は、図２及び図３に示すように、墓石用上屋Ａの配置を示す平面視矩形状の想像線Ｓの各頂点に形成される根切り穴２，…に立設された角筒形状の受け具３，…と、受け具３，…の平行する側面の下側に貫設された棒状の支持部材５，…と、前記想像線Ｓに沿って縦方向に配される縦位置決め部材１０ａ，１０ａ、及び、横方向に配される横位置決め部材１０ｂ，１０ｂと、各受け具３，…が対向しあう受け具３，…の各側面の上端部に着脱可能に取り付けられた補助継ぎ手１５，…と、縦方向及び横方向の各想像線Ｓの延長線上に配される支持具２０，…と、各受け具３，…の断面形状と略同一断面形状を有する長尺の支柱２５，…と、支持部材５，…に当接支持された支柱２５，…と各受け具３，…との隙間に嵌入された複数の楔２６，…とから構成されている。
【００４０】
根切り穴２，…は、平面視略楕円形状を呈し、その底面には、複数の割栗石４，…が敷設されている。なお、各割栗石４，…の敷設作業や受け具３，…の内挿作業がしやすいように、根切り穴２，…の壁面の一側に傾斜面を形成してもよい。但し、敷設した割栗石４，…は、受け具３，…を根切り穴２，…の底面に載置しやすくするためのものであり、受け具３，…を縦位置決め部材１０ａ，１０ａ、横位置きめ部材１０ｂ，１０ｂ、支持具２０，…で支持でき、且つ、支柱２５，…の垂直度を楔２６，…によって調整できるため、割栗石４，…は必衰のものではない。
【００４１】
受け具３，…は、その側面の長手方向の中心線に沿って、後述するボルトからなる棒状の支持部材５，…を水平方向に貫設するための複数のねじ穴３ａ，…が穿設されており、墓石用上屋Ａの高さに応じて適宜選択する。例えば、背の低い墓石用上屋Ａを構築する場合、最下位置のねじ穴３ａを選択し、背の高い墓石用上屋Ａを構築する場合、最上位置のねじ穴３ａを選択する。
【００４２】
さらに、受け具３，…の下端開口部には、円板形状のベースプレート６，…が装着され、受け具３，…の下端開口部がベースプレート６，…によって閉塞されている。このベ−スプレート６，…は、根切り穴２，…に敷設された割栗石４，…の上面に載置される。
【００４３】
支持部材５，…は、上述したように、各受け具３，…の平行する側面に形成されたねじ穴３ａ，…に螺合するボルトからなり、各ボルトのねじ部に支柱２５，…の下端開口部が当接し、支柱２５，…が支持部材５，…によって支持されることになる。
【００４４】
各受け具３，…を位置決めする支持具としての位置決め部材は、断面Ｌ字形状を呈し、墓石用上屋Ａの配置を示す平面視矩形状の縦方向の想像線Ｓに沿って配される縦位置決め部材１０ａ，１０ａと、横方向の想像線Ｓに沿って配される横位置決め部材１０ｂ，１０ｂとから構成されている。さらに、縦位置決め部材１０ａ，１０ａ、及び、横位置決め部材１０ｂ，１０ｂには、墓石用上屋Ａの設置面に載置される載置部１１と、該載置部１１の端部から立設された装着部１２とを有している。該装着部１２には、補助継ぎ手１５，…に連結するための複数の取付穴が穿設されている。また、増設部Ｂとの連結に用いられる縦位置決め部材１０ａ，１０ａには、載置部１１の両端部から装着部１２が立設されている。
【００４５】
補助継ぎ手１５は、水平方向の載置部１５ａと、該載置部１５ａの一側の端縁部から折り曲げられた上下方向の装着部１５ｂと、載置部１５ａ及び装着部１５ｂから曲折されたＬ字形状の補強部１５ｃとを具備している。そして、補助継ぎ手１５，…の載置部１５ａ，…が墓石用上屋Ａの設置面Ｇに載置される。さらに、複数本のボルト１６，…及びナット１７，…によって、補助継ぎ手１５，…の装着部１５ｂ，…が、各受け具３，…が対向しあう受け具３，…の各側面の上端部に着脱可能に取り付けられる。加えて、補助継ぎ手１５，…の補強部１５ｃ，…には、複数の調整穴１５ｄ，…が穿設されており、縦方向及び横方向の各支柱２５，…の間隔に応じて適宜選択される。そして、複数本のボルト１６，…及びナット１７，…によって、縦位置決め部材１０ａ，１０ａの両端部が、縦方向に位置する補助継ぎ手１５，…の補強部１５ｃ，…に取り付けられる一方、横位置決め部材１０ｂ，１０ｂの両端部が、横方向に位置する補助継ぎ手１５，…の補強部１５ｃ，…に取り付けられる。
【００４６】
支持具２０は、水平方向の載置部２０ａと、該載置部２０ａの一側端から折り曲げられた上下方向の装着部２０ｂと、載置部２０ａ及び装着部２０ｂから曲折されたＬ字形状の補強部２０ｃとを具備している。そして、支持具２０，…の載置部２０ａ，…が墓石用上屋Ａの設置面Ｇに載置される。さらに、複数本のボルト１６，…及びナット１７，…によって、支持具２０，…の装着部２０ｂ，…が、各受け具３，…が対向しあう側面を除く受け具３，…の各側面の上端部に着脱可能に取り付けられる。
【００４７】
よって、各受け具３，…は、縦位置決め部材１０ａ，１０ａ、横位置決め部材１０ｂ，１０ｂ、補助継ぎ手１５，…、支持具２０，…によって、墓石用上屋Ａの設置面Ｇに対して略直立した状態で、且つ、安定した状態で支持される。
【００４８】
基礎構造１の縦位置決め部材１０ａ，１０ａ、横位置決め部材１０ｂ，１０ｂ、補助継ぎ手１５，…、支持具２０，…は、支柱２５，…の垂直度を調整して、各根切り穴２，…に基礎コンクリート２７，…を打設した後は、全て取り外すことになり、基礎構造１としては、基礎コンクリート２７，…によって固定された受け具３，…、支柱２５，…のみになる。
【００４９】
小屋組構造３０は、図４に示すように、墓地に立設された複数本の支柱２５，…の上端部に連結可能な複数本の第一連結部材と、各第一連結部材によって各支柱２５，…の上端部を囲繞して枠組みされた内枠３４と、各第一連結部材に連結可能な複数本の第二連結部材３５，３５と、各第二連結部材３５，３５によって、第一連結部材で枠組みされた内枠３４を囲繞して枠組みされた外枠３８と、内枠３４及び外枠３８で構成された枠体３９と、該枠体３９に取り付けられた屋根板４０と、後述する屋根板４０の合わせ代４２，４２間に取り付けられる棟木４６とを備えている。
【００５０】
第一連結部材は、断面矩形状の角筒体からなり、二本の長尺の破風材３２と、短尺の鼻隠し材３３とを具備している。さらに、破風材３２の両端部には、縦方向に位置する支柱２５，２５の上端部に十字形状に形成された溝２５ａ，２５ａに挿入される突片３２ａ，３２ａが形成されている。一方、鼻隠し材３３の両端部には、破風材３２と同様に、横方向に位置する支柱２５，２５の溝２５ａ，２５ａに挿入される突片３３ａ，３３ａが形成されている。しかも、破風材３２の突片３２ａ，３２ａが挿入される支柱２５，２５の溝２５ａ，２５ａは深く形成され、鼻隠し材３３の突片３３ａ，３３ａが挿入される支柱２５，２５の溝２５ａ，２５ａは浅く形成されている。よって、長尺の破風材３２の突片３２ａ，３２ａを、縦方向に位置する支柱２５，２５の溝２５ａ，２５ａに挿入し、破風材３２，３２を縦方向に位置する支柱２５，２５に連結する一方、長尺の破風材３２，３２の突出部位に短尺の鼻隠し材３３，３３の両端が当接するように、短尺の鼻隠し材３３の突片３３ａ，３３ａを横方向に位置する支柱２５，２５の溝２５ａ，２５ａに挿入し、鼻隠し材３３，３３を縦方向に位置する支柱２５，２５に連結する。そうすれば、支柱２５の溝２５ａ，２５ａにおいて、破風材３２の突片３２ａ，３２ａが下側に位置すると共に、鼻隠し材３３の突片３３ａ，３３ａが上側に位置し、破風材３２の突片３２ａ，３２ａと鼻隠し材３３の突片３３ａ，３３ａとが直交することになり、自由端となっている支柱２５，…の上端部が前後左右のいずれの方向にも移動することができなくなり、支柱２５，…の上端部が確実に固定される。そして、長尺の破風材３２，３２、及び、短尺の鼻隠し材３３，３３によって角環状の内枠３４が枠組みされることになる。
【００５１】
よって、長尺の破風材３２，３２によって、平行する支柱２５，…が略直立した状態で支持される。さらに、長尺の破風材３２，３２の突出部位に短尺の鼻隠し材３３，３３の両端を当接することで、各支柱２５，…の直立した状態が確保される。
【００５２】
第二連結部材３５，３５は、コ字形状に組み合わされた曲管からなり、横方向の破風材３６と、破風材３６の両端部から縦方向に延設された鼻隠し材３７，３７とで構成されている。さらに、第二連結部材３５の破風材３６及び鼻隠し材３７，３７は、その断面が直角三角形状を呈し、その長辺を第一連結部材としての破風材３２，３２及び鼻隠し材３３，３３の側面に位置させ、短辺を屋根板４０に位置させ、斜辺を外方に位置させた状態で、第一連結部材としての破風材３２，３２及び鼻隠し材３３，３３に連結して外枠３８が枠組みされる。さらに、外枠３８の開口面積が内枠３４の外形面積と略同一になっているため、外枠３８が内枠３４に密接して連結され、二重構造の枠体３９を構成することによって、素人作業者が構築したとしても、各支柱２５，…の支持強度が充分に確保される。
【００５３】
屋根板４０は、円弧状の湾曲部４１と、該湾曲部４１の一側から上下方向に折り曲げられた合わせ代４２と、湾曲部４１の別側から延設された反曲部４３とを有する対称の二枚の屋根部材４４，４４から構成されている。両屋根部材４４，４４の合わせ代４２，４２が対峙するように配される。
【００５４】
棟木４６は、円筒形状の棟木本体４７と、棟木本体４７の径外方向に沿って、且つ、棟木本体４７の外周面に溶着された長尺の棟木取付板４８とを備えている。したがって、棟木４６は、棟木本体４７と棟木取付板４８とが一体化されることで、棟木４６の断面係数が大きくなり、外表面の曲げ応力が小さくなるように設計されている。そして、棟木４６の棟木本体４７が、対峙する両屋根部材４４，４４の合わせ代４２，４２の上方に位置するように、且つ、棟木４６の棟木取付板４８の端部が、対峙する両屋根部材４４，４４の合わせ代４２，４２の下方に突出するように、棟木４６の棟木取付板４８が両屋根部材４４，４４の合わせ代４２，４２間に介在され、複数本のボルト４５ａ，…及びナット４５ｂ，…によって、棟木４６と屋根板４０とが一体に組み立てられる。
【００５５】
さらに、組み立てられた屋根板４０の裏面側には、例えば、広告用フィルムとして使用されているスコッチプリント（商品名　住友スリーエム株式会社製）が、屋根板４０の裏面側を覆蔽すべく貼着されている（図示せず）。前記スコッチプリントは、非塩化ビニル素材のＡＤシート（商品名　住友スリーエム株式会社製）に、例えば、想像した天上界の図柄が印刷されており、故人があたかも天上界の如来や菩薩から見守られているかのような雰囲気を醸し出す。この図柄は、宗教や宗派、故人やユーザーの好みに応じて変更可能である。
【００５６】
なお、基礎構造１における受け具３、支持部材５、ベースプレート６、縦位置決め部材１０ａ、横位置決め部材１０ｂ、補助継ぎ手１５、支持具２０、小屋組構造３０における第一連結部材としての破風材３２及び鼻隠し材３３、第二連結部材３５としての破風材３６及び鼻隠し材３７，３７、屋根板４０、棟木４６に使用される部材は、ステンレス製又はアルミ製の材質が使用されているものとする。但し、これらの材質に限定されるものではなく、墓石の設置されている環境やユーザーの好みに応じて適宜設計変更可能である。
【００５７】
つぎに墓石用上屋Ａの構築方法について説明する。例えば、縦３ｍ×横２ｍの平面視矩形状の墓地において、墓石用上屋Ａの配置を示す平面視矩形状の想像線Ｓに沿って縄張りを行い、前記想像線Ｓの各頂点、即ち墓地の四隅に根切り穴２，…を掘穿する。つぎに、予め各受け具３，…の平行する一組の側面に支持部材５，…を水平方向に貫設すると共に、各受け具３，…の下端開口部にベースプレート６，…を装着する。続いて、各根切り穴２，…の底面に、各受け具３，…に装着されたベースプレート６，…を載置し、各受け具３，…が略直立するような状態で、各根切り穴２，…に受け具３，…を配設する。
【００５８】
そして、横方向に位置する各受け具３，…が対向しあう受け具３の各側面に補助継ぎ手１５，…を取り付けると共に、縦方向に位置する各受け具３，…が対向しあう各受け具３の各側面に、補助継ぎ手１５，…を取り付け、各補助継ぎ手１５，…間に縦位置決め部材１０ａ，１０ａ、及び、横位置決め部材１０ｂ，１０ｂを取り付けて、各受け具３，…が各根切り穴２，…の略中心に位置するように調整する。
【００５９】
その後、各受け具３，…が対向しあう側面を除く受け具３の各側面にそれぞれ支持具２０，…を取り付け、墓石用上屋Ａの設置面Ｇにおいて各受け具３，…を略直立した状態で支持する。さらに、各受け具３，…の上端開口部から支柱２５，…の下端部を遊挿し、各受け具３，…の支持部材５，…に支柱２５，…の下端部を当接し、支柱２５，…を支持する。
【００６０】
続いて、支柱２５，…の各側面と、受け具３，…の各内側面との間に楔２６，…を嵌入して、各支柱２５，…の垂直度を調整して、墓石用上屋Ａの基礎構造１を仮構築する。
【００６１】
つぎに、各支柱２５，…の上端部の溝２５ａ，…に、第一連結部材としての長尺の破風材３２の突片３２ａ，３２ａを各支柱２５，…の溝２５ａ，…に挿入して、第一連結部材としての破風材３２，３２を支柱２５の上端部に連結し、第一連結部材の破風材３２，３２の突出部位に、第一連結部材としての短尺の鼻隠し材３３，３３の両端が当接するように、短尺の鼻隠し材３３の突片３３ａ，３３ａを各支柱２５，…の溝２５ａ，…に挿入して、鼻隠し材３３，３３を各支柱２５，…の上端部に連結し、長尺の破風材３２，３２、及び、短尺の鼻隠し材３３，３３によって角環状の内枠３４を枠組みする。
【００６２】
続いて、コ字形状の曲管からなる第二連結部材３５，３５を、第一連結部材としての破風材３２，３２及び鼻隠し材３３，３３に密接して連結し、外枠３８を枠組みする。そして、内枠３４と外枠３８で枠体３９が構成され、二重構造の枠体３９によって小屋組構造３０の強度が充分に確保される。
【００６３】
さらに、二枚の屋根部材４４，４４の合わせ代４２，４２を対峙させ、両屋根部材４４，４４の合わせ代４２，４２の上方に棟木４６の棟木本体４７が位置するように、両屋根部材４４，４４の合わせ代４２，４２間に、棟木４６の棟木取付板４８を介在させ、ボルト４５ａ，…及びナット４５ｂ，…によって、屋根板４０と棟木４６とを一体に組み立てた後、屋根板４０を枠体３９に取り付け、墓石用上屋Ａの小屋組構造３０を仮構築する。
【００６４】
つぎに、各支柱２５，…の垂直度を再度調整し、続いて、屋根板４０の裏面側に、天上界の印刷されたＡＤシートを貼着し、ＡＤシートによって屋根板４０の裏面側を覆蔽し、墓石用上屋Ａの基礎構造１及び小屋組構造３０を完成させ、続いて、各根切り穴２，…に基礎コンクリート２７を打設して硬化させ、最後に、墓石用上屋Ａの基礎構造１の縦位置決め部材１０ａ，１０ａ、横位置決め部材１０ｂ，１０ｂ、補助継ぎ手１５，…、支持具２０，…を取り外す。
【００６５】
さらに、墓石用上屋Ａの前方の増設部Ｂについても、前記と同様に、基礎構造１及び小屋組構造３０を構築する。但し、この場合、二本のＬ字形状の第二連結部材３５，３５を連結してコ字形状の外枠３８を構成する。また、墓石用上屋Ａの左右の両側、及び、後方にそれぞれ増設部Ｂを構築する場合も、Ｌ字形状の第二連結部材３５，３５を使用する。
【００６６】
これらの構築作業は、二人の素人作業者で行うことが可能であり、本発明の墓石用上屋Ａの基礎構造１及び小屋組構造３０を構築するようにすれば、屋根板４０の取り付け、各根切り穴２，…に基礎コンクリート２７，…を打設するまで、略一日で作業が終了し、基礎コンクリート２７，…の硬化に一日、計二日で作業が終了することになり、作業日数が、従来に比して大幅に短縮される。
【００６７】
なお、前記実施例の場合、支持具２０，…の形状、縦位置決め部材１０ａ，１０ａ、横位置決め部材１０ｂ、１０ｂの形状は図示に限定されるものではなく、受け具３，…の側面に着脱可能で、且つ、受け具３，…を墓石用上屋Ａの設置面Ｇに対して略垂直に支持できる形状であればよい。
【００６８】
また、前記実施例の場合、縦位置決め部材１０ａ，１０ａ及び横位置決め部材１０ｂ，１０ｂを調整可能な構成にしたが、縦位置決め部材１０ａ，１０ａ及び横位置決め部材１０ｂ，１０ｂの両方を必ずしも調整可能な構成にする必要はなく、少なくともいずれか一方を調整可能な構成にすればよい。要するに、位置決め部材としては、墓石用上屋Ａの配置を示す平面視矩形状の想像線Ｓの各頂点に受け具３，…を位置決めできればよい。
【００６９】
さらに、前記実施例の場合、各受け具３，…の下端開口部にベースプレート６，…を装着したが、支持具２０，…、縦位置決め部材１０ａ，１０ａ、横位置決め部材１０ｂ，１０ｂによって各受け具３，…を充分に支持できれば、ベースプレート６，…は必要ない。但し、各受け具３，…を根切り穴２，…の底面に略直立した状態で載置することを考慮すれば、各受け具３，…にベースプレート６，…を装着するのが好ましい。
【００７０】
加えて、前記実施例の場合、支持部材５，…として、ボルトを使用したが、支柱２５，…の下端部に当接して支柱２５，…を支持でき、支柱２５，…の垂直度を調整できる棒状のものであればよい。
【００７１】
また、前記実施例の場合、第一連結部材を直管とし、第二連結部材３５をコ字形状の曲管としたが、第一連結部材をコ字形状又はＬ字形状の曲管とし、第二連結部材３５を直管としてもよい。さらに、第一連結部材及び第二連結部材３５を破風材と鼻隠し材とで構成したが、墓石のデザインに合わせた材料を使用してもよい。第一連結部材及び第二連結部材３５の形状は、図示に限定されるものではない。要するに、第一連結部材及び第二連結部材３５としては、それぞれが枠組みできる構成で、且つ、内枠３４及び外枠３８によって、墓石用上屋Ａの各支柱２５，…を安定した状態で支持できると共に、屋根板４０を容易に取り付けできる枠体３９を構成できればよい。
【００７２】
さらに、前記実施例の場合、第一連結部材としての破風材３２の両端部に突片３２ａ，３２ａを形成し、鼻隠し材３３の両端部に突片３３ａ，３３ａを形成したが、例えば、第一連結部材としての破風材３２及び鼻隠し材３３の両端部に、支柱２５，…の上端部が挿入される角環状の係止体を形成してもよく、支柱２５，…の上端部に連結でき、支柱２５，…を安定して直立した状態で固定支持できるものであればよい。
【００７３】
加えて、前記実施例の場合、屋根板４０の形状は、図示に限定されるものではなく、各宗派に応じて設計変更可能である。例えば、キリスト教に適した墓石用上屋Ａの屋根形状としてもよい。
【００７４】
また、屋根板４０の材質としては、ステンレス、アルミ、一般住宅の駐車場の屋根に使用されているポリカーボネイトのいずれを選択してもよく、適宜設計変更可能である。
【００７５】
さらに、本発明の基礎構造と、従来の小屋組とを組み合わせてもよく、従来の基礎構造と、本発明の小屋組とを組み合わせて、上屋を構築してもよい。但し、コスト低減、作業期間の短縮、部品点数の削減を考慮すれば、本発明の基礎構造と小屋組構造とを組み合わせるのが好ましい。
【００７６】
【発明の効果】
以上説明したように、本発明の墓石用上屋の構築構造における基礎構造は、墓地に掘穿された複数の根切り穴に、棒状の支持部材が水平方向に貫設された短尺の角筒形状の受け具を立設し、支柱と受け具との隙間に複数の楔を嵌入したため、受け具に遊挿された支柱の下端部を支持部材に当接させて支持でき、複数の楔によって各支柱の垂直度を調整できる。したがって、割栗石、捨てコンクリート、レベル調整用モルタル、アンカーボルトを不要にできる効果がある。さらに、各受け具は、受け具の各側面にそれぞれ着脱可能に取り付けられた複数の支持具によって、安定した状態で支持されるため、誰もが簡単に支柱を立設でき、作業能率を有効に向上できる。
【００７７】
また、支持具として、墓地における墓石用上屋の配置を示す平面視四角形状の想像線に沿って配される縦方向及び横方向の位置決め部材を、各受け具が対向しあう受け具の各側面の上端部に着脱可能に取り付けることで、正確な位置に墓石用上屋を構築できる。
【００７８】
さらに、各支柱の間隔に合わせて、縦方向又は横方向の位置決め部材の少なくともいずれか一方を調整可能に構成するようにしたので、墓石用上屋の設置面積の大小に関係なく、墓石用上屋を構築できる効果がある。
【００７９】
加えて、根切り穴の底面に立設させるためのベースプレートを各受け具の下端開口部に装着するようにしたため、各受け具を各根切り穴の底面に直接立設できることになり、作業がよりしやすくなる。
【００８０】
また、本発明の墓石用上屋の構築構造における小屋組構造は、墓地に立設された複数本の支柱の上端部に複数本の第一連結部材を連結し、各第一連結部材によって、支柱の上端部を囲繞して内枠を枠組みしたため、各支柱を直立した状態で保持できる。さらに、各支柱が直立した状態に保持できることから、各第二連結部材による外枠の枠組みが容易なる。加えて、内枠及び外枠で構成された枠体に屋根板を取り付けるようにしたので、作業人数を少なくでき、梁材、垂木、母屋材などを不要でき、より作業効率が向上され、部品点数の削減になる。
【００８１】
さらに、墓地における墓石用上屋の配置を示す平面視四角形状の想像線の各頂点に支柱を立設し、同一方向に平行する二組の支柱からその両端部が突出するように、二本の長尺の第一連結部材としての破風材を各支柱の上端部に連結し、長尺の両第一連結部材の突出部位に、二本の短尺の第一連結部材としての鼻隠し材の両端が当接するように、両鼻隠し材を各支柱の上端部に連結するようにしたので、内枠が簡単に枠組みできる。さらに、破風材及び鼻隠し材が組み合わされたコ字形状又はＬ字形状の第二連結部材によって、外枠が簡単に枠組みできる。加えて、外枠の開口面積と内枠の外形面積とが略同一にすることで、強固な枠体を構成でき、屋根板の荷重を充分に支持できるようになる。
【００８２】
加えて、第一連結部材としての破風材及び鼻隠し材の両端部にそれぞれ形成された突片を、支柱の上端部に形成された溝に挿入するだけで、各支柱を略直立した状態に容易に固定でき、小屋組構造部の構築作業の時間を大幅に短縮できる効果がある。
【図面の簡単な説明】
【図１】本発明の墓石用上屋を示した斜視図である。
【図２】図１の基礎構造を示す切断平面図である。
【図３】図１の基礎構造、及び、小屋組構造の一部拡大断面図である。
【図４】図１の小屋組構造を示す切断平面図である。
【図５】従来例の墓石用上屋の正面図である。
【符号の説明】
１、６０　基礎構造
２、６３　根切り穴
３　受け具
３ａ　ねじ穴
４、６４　割栗石
５　支持部材
６、６２　ベースプレート
１０ａ　縦位置決め部材
１０ｂ　横位置決め部材
１５　補助継ぎ手
１１、１５ａ、２０ａ　載置部
１２、１５ｂ、２０ｂ　装着部
１５ｃ、２０ｃ　補強部
１５ｄ　調整穴
１６　ボルト
１７　ナット
２０　支持具
２５、６１　支柱
２５ａ　溝
２６　楔
２７、６８　基礎コンクリート
３０、７０　小屋組構造
３２　破風材（第一連結部材）
３２ａ、３３ａ　突片
３３　鼻隠し材（第一連結部材）
３４　内枠
３５　第二連結部材
３６　破風材
３７　鼻隠し材
３８　外枠
３９　枠体
４０、８０屋根板
４１　湾曲部
４２　合わせ代
４３　反曲部
４４、８０ａ　屋根部材
４５ａ　ボルト
４５ｂ　ナット
４６、７１　棟木
４７　棟木本体
４８　棟木取付板
６５　捨てコンクリート
６６　レベル調整用モルタル
６７　アンカーボルト
７２　梁材
７３　母屋材
Ａ　墓石用上屋
Ｂ　増設部
Ｓ　想像線
Ｇ　設置面
【図１】
2004060314.tif 000003
【図２】
2004060314.tif 000004
【図３】
2004060314.tif 000005
【図４】
2004060314.tif 000006
【図５】
2004060314.tif 000007